(57)【要約】【課題】ユーザによる操作を行うことなく迷惑電話に対応する煩わしさを解消することのできる電話装置、着信動作方法および着信動作プログラムを提供する。【解決手段】制御部６は、着信履歴の呼出時間が設定時間を越えるか否かによって着信拒否用の着信履歴フォルダ２１または通常用の着信履歴フォルダ２２に振り分ける呼出時間判定部６２を有する。着信時、まだ発信番号の登録が行われていない場合、呼出時間が設定時間以下であるか否かを判別する。呼出時間が設定時間を越える場合、通常の着信履歴フォルダ２２にその発信番号の着信履歴を振り分けて登録し、呼出時間が設定時間以下である場合、着信拒否用の着信履歴フォルダ２１に振り分けて登録する。次回着信があった時、その発信番号が着信履歴フォルダ２１内に存在する番号と一致する場合、着信拒否動作を行う。【選択図】    図１
2004187151.tif 000002
【特許請求の範囲】
【請求項１】
着信時に着信履歴を記憶する電話装置であって
着信時に受信した発信番号を含む着信履歴情報を登録するための着信履歴フォルダを複数有する着信履歴記憶手段と、
着信時の呼出時間を計測する呼出時間計測手段と、
前記呼出時間計測手段によって計測された呼出時間を設定時間と比較して、当該呼出時間と前記設定時間との大小関係に応じて、着信履歴情報を前記着信履歴記憶手段の異なる着信履歴フォルダに分けて登録する着信履歴登録手段と、
着信時に受信した発信番号が前記着信履歴記憶手段のいずれかの着信履歴フォルダに登録されていれば、どの着信履歴フォルダに登録されているかによって、当該着信に対して異なる動作を行う着信対応手段と、
を備えたことを特徴とする電話装置。
【請求項２】
前記着信履歴記憶手段は、第１の着信履歴フォルダを有し、前記着信履歴登録手段は、前記呼出時間計測手段によって計測された呼出時間が前記設定時間以下の着信履歴情報を前記第１の着信履歴フォルダに登録し、
前記着信対応手段は、前記第１の着信履歴フォルダに登録されている発信番号からの着信に対しては着信拒否を行うことを特徴とする請求項１記載の電話装置。
【請求項３】
発信番号毎に着信回数を計数する着信回数計数手段を備え、前記着信履歴登録手段は、前記呼出時間計測手段によって計測された呼出時間および着信時に受信した発信番号からの着信回数に応じて、着信履歴情報を前記着信履歴記憶手段の異なる着信履歴フォルダに分けて登録することを特徴とする請求項１記載の電話装置。
【請求項４】
前記着信履歴記憶手段は、第１の着信履歴フォルダおよび第２の着信履歴フォルダを有し、
前記着信履歴登録手段は、前記呼出時間計測手段によって計測された呼出時間が第１の設定時間以下かつ着信時に受信した発信番号からの着信回数が所定回数以上の着信履歴情報を前記第１の着信履歴フォルダに登録し、前記呼出時間が前記第１の設定時間よりも大きく前記第２の設定時間以下かつ前記着信回数が所定回数以上の着信履歴情報を前記第２の着信履歴フォルダに登録し、
前記着信対応手段は、前記第１の着信履歴フォルダに登録されている発信番号からの着信に対しては着信拒否を行い、前記第２の着信履歴フォルダに登録されている発信番号からの着信に対しては着信無視を行うことを特徴とする請求項３記載の電話装置。
【請求項５】
前記第２の設定時間は前記第１の設定時間よりも長いことを特徴とする請求項４記載の電話装置。
【請求項６】
着信時に受信した発信番号を含む着信履歴情報を登録するための着信履歴フォルダを複数有する着信履歴記憶手段を備えた電話装置の着信動作方法であって、
着信時の呼出時間を計測する呼出時間計測ステップと、
前記呼出時間計測ステップで計測された呼出時間を設定時間と比較して、当該呼出時間と前記設定時間との大小関係に応じて、着信履歴情報を前記着信履歴記憶手段の異なる着信履歴フォルダに分けて登録する着信履歴登録ステップと、
着信時に受信した発信番号が前記着信履歴記憶手段のいずれかの着信履歴フォルダに登録されていれば、どの着信履歴フォルダに登録されているかによって、当該着信に対して異なる動作を行う着信対応ステップと、
を有することを特徴とする着信動作方法。
【請求項７】
前記着信履歴記憶手段は、第１の着信履歴フォルダを有し、
前記着信履歴登録ステップは、前記呼出時間計測ステップで計測された呼出時間が前記設定時間以下の着信履歴情報を前記第１の着信履歴フォルダに登録し、
前記着信対応ステップは、前記第１の着信履歴フォルダに登録されている発信番号からの着信に対しては着信拒否を行うことを特徴とする請求項６記載の着信動作方法。
【請求項８】
発信番号毎に着信回数を計数する着信回数計数ステップを有し、
前記着信履歴登録ステップは、前記呼出時間計測ステップで計測された呼出時間および着信時に受信した発信番号からの着信回数に応じて、着信履歴情報を前記着信履歴記憶手段の異なる着信履歴フォルダに分けて登録することを特徴とする請求項６記載の着信動作方法。
【請求項９】
前記着信履歴記憶手段は、第１の着信履歴フォルダおよび第２の着信履歴フォルダを有し、
前記着信履歴登録ステップは、前記呼出時間計測ステップで計測された呼出時間が第１の設定時間以下かつ着信時に受信した発信番号からの着信回数が所定回数以上の着信履歴情報を前記第１の着信履歴フォルダに登録し、前記呼出時間が前記第１の設定時間よりも大きく前記第２の設定時間以下かつ前記着信回数が所定回数以上の着信履歴情報を前記第２の着信履歴フォルダに登録し、
前記着信対応ステップは、前記第１の着信履歴フォルダに登録されている発信番号からの着信に対しては着信拒否を行い、前記第２の着信履歴フォルダに登録されている発信番号からの着信に対しては着信無視を行うことを特徴とする請求項８記載の着信動作方法。
【請求項１０】
前記第２の設定時間は前記第１の設定時間よりも長いことを特徴とする請求項９記載の着信動作方法。
【請求項１１】
請求項６、７、８、９または１０に記載の着信動作方法をコンピュータに実行させるための着信動作プログラム。
【発明の詳細な説明】
【０００１】
【発明の属する技術分野】
本発明は、着信時に発信番号が通知される電話装置、着信動作方法および着信動作プログラムに関する。
【０００２】
【従来の技術】
従来より、携帯電話には着信履歴記憶機能が搭載されている。この着信履歴記憶機能では、着信すると必ず履歴が残るようになっているため、呼出時間にかかわらず着信履歴が記録される。但し、呼出時間を計測し、この計測値も着信履歴のデータとして記録する呼出時間記憶機能を備えた携帯電話も存在する。
【０００３】
昨今、不特定多数の携帯電話に対し、コンピュータで電話をかける、いわゆる「ワン切り」と呼ばれる短時間の着信を行い、着信履歴を残す迷惑電話が社会問題となっている。この場合、一度、着信履歴に残った電話番号に対して着信拒否登録を手動で行うことにより、同電話番号からの２度目以降の着信を拒否することができる（例えば、特許文献１、２、３参照）。
【０００４】
【特許文献１】
特開平１０−４２０３６号公報
【特許文献２】
特開平１１−２５２２４６号公報
【特許文献３】
特開２０００−５９５０２号公報
【０００５】
【発明が解決しようとする課題】
しかしながら、上記説明した従来の携帯電話では、着信拒否登録を毎回手動で行わなければならないため面倒であるという問題点があった。
【０００６】
本発明は、上記従来の問題点に鑑みてなされたものであって、ユーザによる操作を行うことなく迷惑電話に対応する煩わしさを解消することのできる電話装置、着信動作方法および着信動作プログラムを提供することを目的としている。
【０００７】
【課題を解決するための手段】
上記目的を達成するために、本発明に係る電話装置は、着信時に着信履歴を記憶する電話装置であって着信時に受信した発信番号を含む着信履歴情報を登録するための着信履歴フォルダを複数有する着信履歴記憶手段と、着信時の呼出時間を計測する呼出時間計測手段と、前記呼出時間計測手段によって計測された呼出時間を設定時間と比較して、当該呼出時間と前記設定時間との大小関係に応じて、着信履歴情報を前記着信履歴記憶手段の異なる着信履歴フォルダに分けて登録する着信履歴登録手段と、着信時に受信した発信番号が前記着信履歴記憶手段のいずれかの着信履歴フォルダに登録されていれば、どの着信履歴フォルダに登録されているかによって、当該着信に対して異なる動作を行う着信対応手段と、を備えている。したがって、ユーザによる操作を行うことなく迷惑電話に対応する煩わしさを解消することができる。
【０００８】
また、本発明に係る電話装置は、前記着信履歴記憶手段は、第１の着信履歴フォルダを有し、前記着信履歴登録手段は、前記呼出時間計測手段によって計測された呼出時間が前記設定時間以下の着信履歴情報を前記第１の着信履歴フォルダに登録し、前記着信対応手段は、前記第１の着信履歴フォルダに登録されている発信番号からの着信に対しては着信拒否を行う。したがって、迷惑電話に対して着信拒否を行うことができる。
【０００９】
また、本発明に係る電話装置は、発信番号毎に着信回数を計数する着信回数計数手段を備え、前記着信履歴登録手段は、前記呼出時間計測手段によって計測された呼出時間および着信時に受信した発信番号からの着信回数に応じて、着信履歴情報を前記着信履歴記憶手段の異なる着信履歴フォルダに分けて登録する。このように、呼出時間と着信回数を組み合わせて着信履歴情報を振り分けることで、多様な対応をとることができる。さらに、呼出時間の長さで振り分けることで、通常使用時に呼出時間を参照しなくても、着信履歴から迷惑電話の番号に誤発信することを回避できる。
【００１０】
また、本発明に係る電話装置は、前記着信履歴記憶手段は、第１の着信履歴フォルダおよび第２の着信履歴フォルダを有し、前記着信履歴登録手段は、前記呼出時間計測手段によって計測された呼出時間が第１の設定時間以下かつ着信時に受信した発信番号からの着信回数が所定回数以上の着信履歴情報を前記第１の着信履歴フォルダに登録し、前記呼出時間が前記第１の設定時間よりも大きく前記第２の設定時間以下かつ前記着信回数が所定回数以上の着信履歴情報を前記第２の着信履歴フォルダに登録し、前記着信対応手段は、前記第１の着信履歴フォルダに登録されている発信番号からの着信に対しては着信拒否を行い、前記第２の着信履歴フォルダに登録されている発信番号からの着信に対しては着信無視を行う。したがって、迷惑電話に対して、着信拒否以外に着信無視といった動作を行うことができる。
【００１１】
また、本発明に係る電話装置は、前記第２の設定時間は前記第１の設定時間よりも長いことが望ましい。
【００１２】
また、本発明に係る着信動作方法は、着信時に受信した発信番号を含む着信履歴情報を登録するための着信履歴フォルダを複数有する着信履歴記憶手段を備えた電話装置の着信動作方法であって、着信時の呼出時間を計測する呼出時間計測ステップと、前記呼出時間計測ステップで計測された呼出時間を設定時間と比較して、当該呼出時間と前記設定時間との大小関係に応じて、着信履歴情報を前記着信履歴記憶手段の異なる着信履歴フォルダに分けて登録する着信履歴登録ステップと、着信時に受信した発信番号が前記着信履歴記憶手段のいずれかの着信履歴フォルダに登録されていれば、どの着信履歴フォルダに登録されているかによって、当該着信に対して異なる動作を行う着信対応ステップと、を有する。
【００１３】
また、本発明に係る着信動作方法は、前記着信履歴記憶手段は、第１の着信履歴フォルダを有し、前記着信履歴登録ステップは、前記呼出時間計測ステップで計測された呼出時間が前記設定時間以下の着信履歴情報を前記第１の着信履歴フォルダに登録し、前記着信対応ステップは、前記第１の着信履歴フォルダに登録されている発信番号からの着信に対しては着信拒否を行う。
【００１４】
また、本発明に係る着信動作方法は、発信番号毎に着信回数を計数する着信回数計数ステップを有し、前記着信履歴登録ステップは、前記呼出時間計測ステップで計測された呼出時間および着信時に受信した発信番号からの着信回数に応じて、着信履歴情報を前記着信履歴記憶手段の異なる着信履歴フォルダに分けて登録する。
【００１５】
また、本発明に係る着信動作方法は、前記着信履歴記憶手段は、第１の着信履歴フォルダおよび第２の着信履歴フォルダを有し、前記着信履歴登録ステップは、前記呼出時間計測ステップで計測された呼出時間が第１の設定時間以下かつ着信時に受信した発信番号からの着信回数が所定回数以上の着信履歴情報を前記第１の着信履歴フォルダに登録し、前記呼出時間が前記第１の設定時間よりも大きく前記第２の設定時間以下かつ前記着信回数が所定回数以上の着信履歴情報を前記第２の着信履歴フォルダに登録し、前記着信対応ステップは、前記第１の着信履歴フォルダに登録されている発信番号からの着信に対しては着信拒否を行い、前記第２の着信履歴フォルダに登録されている発信番号からの着信に対しては着信無視を行う。
【００１６】
また、本発明に係る着信動作方法は、前記第２の設定時間は前記第１の設定時間よりも長いことが望ましい。
【００１７】
さらに、本発明に係る着信動作プログラムは、請求項６、７、８、９または１０に記載の着信動作方法をコンピュータに実行させるためのものである。
【００１８】
【発明の実施の形態】
本発明に係る電話装置、着信動作方法および着信動作プログラムの実施の形態について、〔第１の実施形態〕、〔第２の実施形態〕の順に図面を参照して詳細に説明する。なお、以下の説明では、本発明に係る電話装置を着信履歴記憶機能付き携帯電話（以下、単に「携帯電話」という。）に適用した場合について説明する。なお、以下の説明では、本発明に係る電話装置および着信動作方法について詳述するが、本発明に係る着信動作プログラムについては、着信動作方法を実行させるためのプログラムであることから、その説明は以下の着信動作方法の説明に含まれる。
【００１９】
［第１の実施形態］
図１は、本発明に係る第１の実施形態の携帯電話の構成を示すブロック図である。第１の実施形態の携帯電話は、図１に示すように、無線信号を送受信する無線部１と、特許請求の範囲の着信履歴記憶手段に該当するメモリ２と、発呼や各種操作を行う操作部３と、各種表示を行う表示部４と、呼出音や音声等を出力するスピーカ５と、着信履歴登録手段および着信対応手段に該当する制御部６とを備えて構成されている。
【００２０】
メモリ２は、着信履歴や登録電話番号、動作設定等を記憶するものであり、特許請求の範囲の第１の着信履歴フォルダに該当する着信履歴フォルダ２１（拒否用）と、着信履歴フォルダ２２（通常用）と、番号登録メモリ２３とを有している。着信履歴フォルダ２１（拒否用）は、呼出時間が設定時間内の着信履歴を保存するためのフォルダである。また、着信履歴フォルダ２２（通常用）は、呼出時間が設定時間を越える着信履歴を保存するためのフォルダである。また、番号登録メモリ２３は、登録した発信番号や着信拒否動作指定等を記憶するものである。
【００２１】
また、制御部６は、各構成要素を制御するものであり、特許請求の範囲の呼出時間計測手段に該当する呼出時間計測部６３と、番号登録部６１と、呼出時間判定部６２とを有している。呼出時間計測部６３は、着信すると呼出時間を計測するものである。また、番号登録部６１は、各着信の発信番号を番号登録メモリ２３に登録するものである。また、呼出時間判定部６２は、着信履歴フォルダ２１，２２に着信履歴を振り分けて保存するために着信履歴の呼出時間が設定時間内か越えるかを判定するものである。なお、番号登録部６１は、ユーザによる操作に従って番号登録メモリ２３に登録しても良い。また、予め決められた設定に従って、着信履歴フォルダ２１に保存されている発信番号を着信拒否する電話番号として自動的に番号登録メモリ２３に登録しても良い。
【００２２】
図２は、メモリ２に保存された着信履歴を示す説明図である。図２（Ａ）は、呼出時間判定部６２の判定結果に従って振り分けられる前の着信履歴である。なお、着信履歴には、発信番号や日時、呼出時間が登録される。また、図２（Ｂ）は、呼出時間判定部６２による判定の結果、着信履歴フォルダ２１に登録された着信履歴である。一方、図２（Ｃ）は、呼出時間判定部６２による判定の結果、着信履歴フォルダ２２に登録された着信履歴である。図２（Ｂ）に示された着信履歴は呼出時間が設定時間内の着信履歴であり、図２（Ｃ）に示された着信履歴は呼出時間が設定時間を超える着信履歴である。
【００２３】
次に、本実施形態の携帯電話の動作（着信動作方法）について、図３を参照して説明する。図３は、第１の実施形態の携帯電話が行う着信動作処理手順を示すフローチャートである。なお、当該手順は制御部６によって実行される。
【００２４】
まず、本実施形態の携帯電話が着信すると、制御部６は着信信号を検出して、この着信信号の呼出時間を計測する（ステップＳ１）。次に、着信時に発信番号が通知されているか否かを判別すし（ステップＳ２）、発信番号が通知されている場合はステップＳ４に進み、発信番号が通知されていない場合はステップＳ３に進んで通常動作を行い、本処理を終了する。
【００２５】
ステップＳ４では、発信番号が着信履歴フォルダ２１内に登録されている番号と一致するか否かを判別する。当該ステップＳ４において登録があれば、ステップＳ５に進んで着信拒否動作を行った後、本処理を終了する。一方、登録がなければステップＳ６に進んで、番号登録メモリ２３に発信番号が既に登録されているか否かを確認する。当該ステップＳ６において既に登録があれば、ステップＳ７に進んで、その番号に対応する各種動作を行った後、本処理を終了する。一方、登録されていなければステップＳ８に進んで、呼出時間が設定時間以下であるか否かを判別する。
【００２６】
当該ステップＳ８において呼出時間が設定時間を越える場合は、着信履歴の登録先を着信履歴フォルダ２２に振り分けて登録し（ステップＳ９）、通常動作を行った（ステップＳ１０）後、本処理を終了する。一方、呼出時間が設定時間以下の場合は、着信履歴の登録先を着信履歴フォルダ２１に振り分けて登録し（ステップＳ１１）、通常動作を行った（ステップＳ１２）後、本処理を終了する。なお、ステップＳ１１で発信番号の着信履歴を着信履歴フォルダ２１に振り分けて登録した後、着信履歴フォルダ２１内にある発信番号を自動的に番号登録メモリ２３に登録すると同時に、その着信拒否動作の登録を行うようにしても良い。
【００２７】
以上説明したように、第１の実施形態の携帯電話では、ユーザが面倒な操作を行うことなく、いわゆる「ワン切り」等の迷惑電話に対応する煩わしさを解消することができる。例えば、設定時間が２秒以内の呼出時間の着信履歴については、２度目以降の着信に対して自動的に着信拒否することができる。また、着信拒否する電話番号の登録を自動的にすることができる。
【００２８】
［第２の実施形態］
第１の実施形態の携帯電話では、着信履歴フォルダ２１に振り分けて登録された発信番号に対し着信拒否動作を行ったが、第２の実施形態の携帯電話では、迷惑電話に対して様々な対応をとることができるよう、着信拒否動作だけでなく他の着信対応動作も行う。
【００２９】
図４は、本発明に係る第２の実施形態の携帯電話の構成を示すブロック図である。同図において、図１（第１の実施形態）と重複する部分には同一の符号を付して説明を省略する。図４に示すように、第２の実施形態の携帯電話が第１の実施形態の携帯電話と異なる点は、呼出時間判定部６２が、着信時の呼出時間と比較される設定時間として第１の設定時間６２ａおよび第２の設定時間６２ｂの２つの設定時間が設定され、発信番号毎に着信回数を計数する着信回数計数部６４をさらに有することである。なお、第２の設定時間６２ｂは第１の設定時間６２ａよりも長い時間に設定されている。
【００３０】
また、メモリ２が、次回着信があった時にその着信が無視される発信番号の着信履歴が登録される着信履歴フォルダ２４（無視用）が追加されていることである。なお、着信回数計数部６４は特許請求の範囲の着信回数計数手段に該当し、着信履歴フォルダ２４（無視用）は第２の着信履歴フォルダに該当する。
【００３１】
次に、本実施形態の携帯電話の動作（着信動作方法）について、図５および図６を参照して説明する。図５および図６は、第２の実施形態の携帯電話が行う着信動作処理手順を示すフローチャートである。なお、当該手順は制御部６によって実行される。
【００３２】
まず、本実施形態の携帯電話が着信すると、制御部６は着信信号を検出して、この着信信号の呼出時間を計測する（ステップＳ１１）。次に、着信時に発信番号が通知されているか否かを判別し（ステップＳ１２）、発信番号が通知されている場合はステップＳ１４に進み、発信番号が通知されていない場合はステップＳ１３に進んで通常動作を行い、本処理を終了する。
【００３３】
ステップＳ１４では、発信番号が着信履歴フォルダ２１内に登録されている番号と一致するか否かを判別する。当該ステップＳ１４において登録があれば、ステップＳ１５に進んで着信拒否動作を行った後、本処理を終了する。一方、登録がなければステップＳ１６に進んで、発信番号が着信履歴フォルダ２４内に登録されている番号と一致するか否かを判別する。当該ステップＳ１６において登録があれは、ステップＳ１７に進んで着信無視動作を行った後、本処理を終了する。着信無視動作とは、例えば、着信があってもその着信を表示部４に表示しなかったり、スピーカ５から呼出音を鳴らさないといった動作である。
【００３４】
一方、登録がなければステップＳ１８に進んで、番号登録メモリ２３に発信番号が既に登録されているか否かを確認する。当該ステップＳ１８において既に登録があれば、ステップＳ１９に進んで、その番号に対応する各種動作を行った後、本処理を終了する。一方、登録されていなければステップＳ２０に進んで、呼出時間が第１の設定時間６２ａ以下であるか否かを判別する。
【００３５】
当該ステップＳ２０において呼出時間が第１の設定時間６２ａ以下である場合は、その発信番号の着信回数を算出し、当該着信回数が所定回数以上であるか否かを判別する（ステップＳ２１）。なお、呼出時間が第１の設定時間６２ａ以下である発信番号の着信回数は、着信履歴フォルダ２２に登録されているその発信番号の着信履歴を計数することにより算出される。当該ステップＳ２１において着信回数が所定回数に達していない場合は、その発信番号の着信履歴を着信履歴フォルダ２２に振り分けて登録する（ステップＳ２６）。一方、ステップＳ２１において着信回数が所定回数以上である場合は、その発信番号の着信履歴を着信履歴フォルダ２１に振り分けて登録した（ステップＳ２２）後、通常動作を行い（ステップＳ２７）、本処理を終了する。
【００３６】
一方、ステップＳ２０において呼出時間が第１の設定時間６２ａを越える場合は、呼出時間が第２の設定時間６２ｂ以下であるか否かを判別する（ステップＳ２３）。当該ステップＳ２３において呼出時間が第２の設定時間６２ｂ以下である場合は、その発信番号の着信回数を算出し、当該着信回数が所定回数以上であるか否かを判別する（ステップＳ２４）。なお、呼出時間が第２の設定時間６２ｂ以下である発信番号の着信回数は、着信履歴フォルダ２２に登録されているその発信番号の着信履歴を計数することにより算出される。
【００３７】
当該ステップＳ２４において着信回数が所定回数に達していない場合は、その発信番号の着信履歴を着信履歴フォルダ２２に振り分けて登録する（ステップＳ２６）。一方、ステップＳ２４において着信回数が所定回数以上である場合は、その発信番号の着信履歴を着信履歴フォルダ２４に振り分けて登録した（ステップＳ２５）後、通常動作を行い（ステップＳ２７）、本処理を終了する。
【００３８】
また、ステップＳ２３において呼出時間が第２の設定時間を越える場合は、その発信番号の着信履歴を着信履歴フォルダ２２に振り分けて登録した（ステップＳ２６）後、通常動作を行い（ステップＳ２７）、本処理を終了する。なお、ステップＳ２２，Ｓ２５で発信番号の着信履歴をそれぞれ着信履歴フォルダ２１，２４に振り分けて登録した後、着信履歴フォルダ２２，２４内にある発信番号を自動的に番号登録メモリ２３に登録すると同時に、その着信拒否動作、着信無視動作の登録を行うようにしても良い。
【００３９】
以上説明したように、第２の実施形態の携帯電話では、迷惑電話に対して、着信拒否以外に着信無視といった動作を行うことができる。また、呼出時間と着信回数を組み合わせて振り分けることで、多様な対応をとることができる。さらに、呼出時間の長さで振り分けることで、通常使用時に呼出時間を参照しなくても、着信履歴から迷惑電話の番号に誤発信することを回避できる。
【００４０】
なお、第２の実施形態では、通常用の着信履歴フォルダ２２の他に、着信拒否用の着信履歴フォルダ２１および着信無視用の着信履歴フォルダ２４の２つの着信履歴フォルダを設けたが、３つ以上設けても良い。また、呼出時間が設定時間以下か否か、かつ着信回数が所定回数以上であるか否かによって各着信履歴フォルダへの振り分けを行っているが、呼出時間の判別結果だけで振り分けを行うようにしても良い。また、一旦、着信履歴フォルダ２４に振り分けられた発信番号が所定の条件を満たす場合、例えば、その後の着信回数が所定回数を越える場合、その発信番号の着信履歴を、無視用の着信履歴フォルダ２４から拒否用の着信履歴フォルダ２１に転送しても良い。
【００４１】
さらに、上記第１および第２の実施形態では、本発明に係る電話装置を携帯電話に適用した場合について説明したが、固定電話に適用しても良い。
【００４２】
【発明の効果】
以上説明したように、本発明に係る電話装置、着信動作方法および着信動作プログラムによれば、ユーザによる操作を行うことなく迷惑電話に対応する煩わしさを解消することができる。
【図面の簡単な説明】
【図１】本発明に係る第１の実施形態の携帯電話の構成を示すブロック図
【図２】メモリに保存された着信履歴を示す説明図
【図３】第１の実施形態の携帯電話が行う着信動作処理手順を示すフローチャート
【図４】本発明に係る第２の実施形態の携帯電話の構成を示すブロック図
【図５】第２の実施形態の携帯電話が行う着信動作処理手順を示すフローチャート
【図６】第２の実施形態の携帯電話が行う着信動作処理手順を示すフローチャート
【符号の説明】
１  無線部
２  メモリ
３  操作部
４  表示部
５  スピーカ
６  制御部
２１，２２，２４  着信履歴フォルダ
２３  番号登録メモリ
６１  番号登録部
６２  呼出時間判定部
【図１】
2004187151.tif 000003
【図２】
2004187151.tif 000004
【図３】
2004187151.tif 000005
【図４】
2004187151.tif 000006
【図５】
2004187151.tif 000007
【図６】
2004187151.tif 000008